(57)【要約】      （修正有）【課題】洗浄作業など保守管理が便利な、水封管および水封式ドレーン構造を提供する。【解決手段】水封式ドレーン構造は、ジョイント式水封管１と、ジョイント式水封管１が取り付けられた排水枡Ｐと、ジョイント式水封管１に被せて水封構造Ｆを形成するための被覆部材９とから構成する。被覆部材９は、排水枡Ｐ内部底面５上に載置して用いる卓状構造の部材とする。使用時は水封管１の上方を被覆して水封Ｆを形成できるように、底面５上に載置する。【選択図】図１
0003153628.tif 000002
【実用新案登録請求の範囲】
【請求項１】
第一管部材と、該第一管部材との間で相互に連結可能な第二管部材とからなる水封式ドレーン構造用のジョイント式水封管であって、両管部材にはこれらを相互に着脱可能に連結するための連結部が設けられている、ジョイント式水封管。
【請求項２】
前記第一管部材は前記水封式ドレーン構造の排水路側に位置し、前記第二管部材は該水封式ドレーン構造の排水枡内に位置するように両者が連結されて用いられることを特徴とする、請求項１に記載のジョイント式水封管。
【請求項３】
前記各管部材の連結部は、少なくとも一方が磁石を用いたものであり、他方は磁石により磁力吸着される磁性体材料を用いたものであることを特徴とする、請求項１または２に記載のジョイント式水封管。
【請求項４】
前記連結部は前記各管部材の外壁周囲に鍔状をなして形成されていることを特徴とする、請求項３に記載のジョイント式水封管。
【請求項５】
前記両連結部の間には水密用充填材が充填されて形成されることを特徴とする、請求項３または４に記載のジョイント式水封管。
【請求項６】
前記第一管部材の連結部は外壁端部に設けられており、前記第二管部材の連結部は外壁端部よりも離れた位置に設けられており、該第二管部材の外径は該第一管部材内に納まる大きさに形成されていることを特徴とする、請求項３ないし５のいずれかに記載のジョイント式水封管。
【請求項７】
前記各管部材の連結部は、ネジ構造を用いたものであることを特徴とする、請求項１または２に記載のジョイント式水封管。
【請求項８】
請求項１ないし７のいずれかに記載のジョイント式水封管と、該ジョイント式水封管が取り付けられた排水枡と、該ジョイント式水封管に被せて水封構造を形成するための被覆部材とからなる、水封式ドレーン構造。
【請求項９】
前記被覆部材は前記排水枡内部底面に載置して用いる卓状構造であることを特徴とする、請求項８に記載の水封式ドレーン構造。
【考案の詳細な説明】
【技術分野】
【０００１】
本考案は水封管および水封式ドレーン構造に係り、特に、洗浄作業など保守管理が便利な、水封管および水封式ドレーン構造に関するものである。
【背景技術】
【０００２】
従来、水封ドレーンに関しては、複数の技術的提案がなされている。たとえば後掲特許文献１に開示されたものは、排水路の空間と床上の空間の分離の確実性を高めるために、排水口を有する排水枡と、排水口を取り囲む溝を有する水封槽と、水封カップとを備えた構成とし、水封カップは側壁および上部壁を有して側壁が溝に挿入されて水封槽とともに水封を形成可能なようにする、というものである。
【先行技術文献】
【特許文献】
【０００３】
【特許文献１】特開２００７−１０７３０７号公報「排水構造」
【考案の概要】
【考案が解決しようとする課題】
【０００４】
しかし、特許文献のものも含め従来技術には、次のような問題があった。すなわち、ドレーンを構成する水封管の部分を排水桝と一体に形成する場合はもちろんのこと、水封管を別体としてこれを排水桝に嵌設する場合でも、水封管が汚れた場合の洗浄には一定の労力や時間がかかる上、得られる洗浄効果には限界がある。
【０００５】
本考案が解決しようとする課題は、これら従来技術の問題点を除き、洗浄作業など保守管理が便利な、水封管および水封式ドレーン構造を提供することである。
【課題を解決するための手段】
【０００６】
本願考案者は上記課題について検討した結果、水封管をジョイント式とすることによってこれを解決できることに想到し、本考案に至った。すなわち、上記課題を解決するための手段として本願で実用新案登録請求される考案、もしくは少なくとも開示される考案は、以下の通りである。
【０００７】
（１）  第一管部材と、該第一管部材との間で相互に連結可能な第二管部材とからなる水封式ドレーン構造用のジョイント式水封管であって、両管部材にはこれらを相互に着脱可能に連結するための連結部が設けられている、ジョイント式水封管。
（２）  前記第一管部材は前記水封式ドレーン構造の排水路側に位置し、前記第二管部材は該水封式ドレーン構造の排水枡内に位置するように両者が連結されて用いられることを特徴とする、（１）に記載のジョイント式水封管。
（３）  前記各管部材の連結部は、少なくとも一方が磁石を用いたものであり、他方は磁石により磁力吸着される磁性体材料を用いたものであることを特徴とする、（１）または（２）に記載のジョイント式水封管。
【０００８】
（４）  前記連結部は前記各管部材の外壁周囲に鍔状をなして形成されていることを特徴とする、（３）に記載のジョイント式水封管。
（５）  前記両連結部の間には水密用充填材が充填されて形成されることを特徴とする、（３）または（４）に記載のジョイント式水封管。
（６）  前記第一管部材の連結部は外壁端部に設けられており、前記第二管部材の連結部は外壁端部よりも離れた位置に設けられており、該第二管部材の外径は該第一管部材内に納まる大きさに形成されていることを特徴とする、（３）ないし（５）のいずれかに記載のジョイント式水封管。
【０００９】
（７）  前記各管部材の連結部は、ネジ構造を用いたものであることを特徴とする、（１）または（２）に記載のジョイント式水封管。
（８）  請求項１ないし７のいずれかに記載のジョイント式水封管と、該ジョイント式水封管が取り付けられた排水枡と、該ジョイント式水封管に被せて水封構造を形成するための被覆部材とからなる、水封式ドレーン構造。
（９）  前記被覆部材は前記排水枡内部底面に載置して用いる卓状構造であることを特徴とする、（８）に記載の水封式ドレーン構造。
【考案の効果】
【００１０】
本考案のジョイント式水封管および水封式ドレーン構造は上述のように構成されるため、これによれば、水封管の洗浄作業など保守管理が便利になる。つまり、ドレーンにおける洗浄作業等保守管理作業の少なくとも一部について、作業労力の軽減および作業時間の短縮を図ることができ、作業効率を向上することができる。また本考案によれば、ドレーンにおける洗浄作業において、一層確実な洗浄効果を得ることができる。
【００１１】
さらに一定の構成を備えた本考案においては、ジョイント式でありながら水密効果は充分であり、使用に支障を来たすことはもちろんない。また本考案の水封式ドレーン構造によれば、ドレーンの施工自体も作業短縮化でき、作業効率を大いに向上させることができる。
【図面の簡単な説明】
【００１２】
【図１】本考案のジョイント式水封管および水封式ドレーン構造の構成を示す断面図である。
【図２−１】本考案ジョイント式水封管の構成を示す断面図であり、連結前の状態を示す。
【図２−２】本考案ジョイント式水封管の構成を示す断面図であり、連結後の状態を示す。
【図３】図２−１に示した本考案ジョイント式水封管の構成を示す斜視図である。
【図４】図２−１に示した本考案ジョイント式水封管の構成を示す平面図である。
【図５】本考案のジョイント式水封管および水封式ドレーン構造の、別の構成例を示す断面図である。
【図６−１】図５のジョイント式水封管の構成を示す断面図であり、連結された状態を示す。
【図６−２】図５のジョイント式水封管の構成を示す断面図であり、連結を解除した状態を示す。
【図７】本考案のジョイント式水封管および水封式ドレーン構造の、また別の構成例を示す断面図である。
【図８−１】実施例ドレーン構造に係る排水枡の設置前状態を示す写真図である。
【図８−２】実施例に係るジョイント式水封管が形成された状態を示す写真図である。
【図８−３】実施例に係るドレーン構造において、被覆部材が設置された状態を示す写真図である。
【図８−４】実施例ドレーン構造の完工状態を示す写真図である。
【考案を実施するための形態】
【００１３】
以下、図面により本考案を詳細に説明する。
図１は、本考案のジョイント式水封管および水封式ドレーン構造の構成を示す断面図である。図示するように本水封式ドレーン構造は、ジョイント式水封管１と、ジョイント式水封管１が取り付けられた排水枡Ｐと、ジョイント式水封管１に被せて水封構造Ｆを形成するための被覆部材９とから、主として構成される。
【００１４】
図示するように被覆部材９は、排水枡Ｐ内部底面５上に載置して用いる卓状構造の部材とすることができる。つまり、水封管１や排水桝Ｐと一体に形成する必要はなく、別個独立した部材として製造し、使用時は水封管１の上方を被覆して水封Ｆを形成できるように、底面５上に載置すればよく、また、ただ載置されているだけであるため、洗浄作業等の場合においても、取り外しはこれを把持して移動するだけでよく、極めて簡単である。
【００１５】
図２−１、２−２は、本考案ジョイント式水封管の構成を示す断面図であり、前者は連結前の状態、後者は連結後の状態を示す。これらに図示するように本ジョイント式水封管１は、第一管部材１Ｋと、第一管部材１Ｋとの間で相互に連結可能な第二管部材１Ｊとからなり、両管部材１Ｋ、１Ｊには、これらを相互に着脱可能に連結するための連結部２Ｋ、２Ｊが設けられていることを主たる構成とする。上述したとおり本ジョイント式水封管１は、図１に示した水封式ドレーン構造を構成する一要素である。
【００１６】
かかる構成により本ジョイント式水封管１は、連結部２Ｋと連結部２Ｊとを相互に連結することによって第一管部材１Ｋと第二管部材１Ｊとを連結することになり、ジョイント式水封管１とすることができる。このようにして形成されるジョイント式水封管１を用いて、上述の水封式ドレーン構造を構成することができる。なお、連結部２Ｋと連結部２Ｊとは相互に着脱可能であるため、連結部２Ｋと連結部２Ｊとの間の連結を解くことによって、ジョイント式水封管１を容易に第一管部材１Ｋと第二管部材１Ｊの各部品に分解することができる。
【００１７】
図２−１等に示すようにジョイント式水封管１は、第一管部材１Ｋは水封式ドレーン構造の排水路側に位置し、第二管部材１Ｊは水封式ドレーン構造の排水枡Ｐ内に位置するように両者が連結されて用いられるものとすることができる。
【００１８】
図２−１等に示す本発明ジョイント式水封管１は具体的には、各管部材１Ｋ、１Ｊにおける連結部２Ｋ、２Ｊのうち少なくとも一方を、磁石を用いたものとして、他方を、磁石により磁力吸着される磁性体材料を用いたものとすることができる（図中、３Ｋ、３Ｊで示す部分）。ここで磁石の磁力は、各連結部２Ｋ、２Ｊによって、各管部材１Ｋ、１Ｊの連結を使用に耐え得る程度以上の強度にてなさしめる程度の磁力であればよい。
【００１９】
なお、本願において磁性体材料とは、一定種類の金属など、磁石以外であって磁石の磁力により吸着される性質を有する材料のみならず、磁石も含むものとする。したがって連結部２Ｋ、２Ｊは一方が磁石で他方が磁石以外の磁性体材料を用いたものであってもよいし、また、いずれもが磁石を用いたものであってもよい。
【００２０】
かかる構成とすることにより、連結部２Ｋと連結部２Ｊは充分な磁力により吸着して連結されるため、各管部材１Ｋ、１Ｊの連結は使用に充分に耐え得る程度以上の強度にてなされる。しかも磁力による吸着連結であるため、これを解除して両管部材１Ｋ、１Ｊを分離することも容易である。
【００２１】
図２−１等に示すように、連結部２Ｋ、２Ｊは、各管部材１Ｋ、１Ｊの外壁周囲に鍔状をなして形成されたものとすることができる。かかる構成とすることにより、両管部材１Ｋ、１Ｊを連結するための接触領域を広く確保することができ、連結を確実に行うことができる。
【００２２】
図２−１等に示すように、両連結部２Ｋ、２Ｊの間には、たとえばゴムパッキン等の水密用充填材４Ｋが充填された状態で、両管部材１Ｋ、２Ｋによる連結構造が形成されるものとすることができる。かかる構成により、形成された水封管１の継ぎ目からの漏水が確実に防止される。
【００２３】
図３は、図２−１に示した本考案ジョイント式水封管の構成を示す斜視図である。また、
図４は、図２−１に示した本考案ジョイント式水封管の構成を示す平面図である。ここまでの各図に示すように本ジョイント式水封管１は、第一管部材１Ｋの連結部２Ｋは外壁端部に設けられており、また一方、第二管部材１Ｊの連結部２Ｊは外壁端部よりも離れた位置に設けられており、第二管部材１Ｊの外径は第一管部材１Ｋ内に納まる大きさに形成された構成とすることができる。
【００２４】
かかる構成により、第二管部材１Ｊを上方から第一管部材１Ｋに嵌め込んでいき、両者の各連結部２Ｋ、２Ｊを嵌め合わせていってこれらを連結し、本ジョイント式水封管１が形成される。各連結部２Ｋ、２Ｊは上述のように磁石あるいは磁性体材料を用いた構造とするが、これらによる磁力吸着によって連結部２Ｋ、２Ｊは確実に連結される。また、その間に水密用充填材４Ｋを設け、各管部材１Ｋ、１Ｊの連結の水密状態を確保できることは、上述の通りである。
【００２５】
なお図３に示すように、下方に位置する第一管部材１Ｋの連結部２Ｋには外壁を設けることによって、第二管部材１Ｊが第一管部材１Ｋ内へと嵌め込まれる際に、第二管部材１Ｊの連結部２Ｊも連結部２Ｋに安定的に嵌め込まれるようにする構成とすることができる。
【００２６】
図５は、本考案のジョイント式水封管および水封式ドレーン構造の、別の構成例を示す断面図である。また、
図６−１、６−２は、図５のジョイント式水封管の構成を示す断面図であり、前者は連結された状態、後者は連結を解除した状態を示す。これらに図示するように本ジョイント式水封管２１は、第一管部材２１Ｋ、第二管部材２１Ｊにそれぞれ備えられる連結部２３Ｋ、２３Ｊが、相互に螺合するネジ構造を用いたものであることを特徴的な構成とする。
【００２７】
かかる構成により本ジョイント式水封管２１は、先に設置された第一管部材２１Ｋに対して上方から第二管部材２１Ｊが、その連結部２３Ｊを第一管部材２１Ｋの連結部２３Ｋに対してねじ込まれることによって、容易に形成される。また、洗浄作業等分解が必要な場合には逆の動作を行うことによって、容易に第一管部材２１Ｋから第二管部材２１Ｊを取り外すことができる。
【００２８】
なお図７は、本考案のジョイント式水封管および水封式ドレーン構造の、また別の構成例を示す断面図である。本例のジョイント式水封管３１もまた、ネジ構造を用いたものである。
【実施例】
【００２９】
以下、本考案の実施例を説明するが、本考案がこの実施例に限定されるものではない。
＜実施例  ネジ構造のジョイント式水封管とドレーン構造＞
ネジ構造のジョイント式水封管を用い、ドレーン構造を試験施工した。
図８−１は、実施例ドレーン構造に係る排水枡の設置前状態を示す写真図である。この段階ではまだ第二管部材は排水枡内側底部に置いたままで、ジョイント式水封管は組み立てられていない状態である。排水枡は、予め床部に穿設された排水枡設置用の竪孔に、適切な水密用充填材等を用いながら、嵌設される。
【００３０】
図８−２は、実施例に係るジョイント式水封管が形成された状態を示す写真図である。第二管部材が下方の第一管部材にねじ込まれて、ジョイント式水封管が組み立てられた状態である。
【００３１】
図８−３は、実施例に係るドレーン構造において、被覆部材が設置された状態を示す写真図である。卓状構造を備えた被覆部材が排水枡内底部中央に載置されて、ジョイント式水封管の上部を被覆した状態となっており、これにより水封構造を形成することができる状態である。
【００３２】
なお図８−４は、実施例ドレーン構造の完工状態を示す写真図である。図示するように蓋が置かれて、ドレーン構造が完成した状態である。従来、水封式ドレーン構造を施工するには８時間前後あるいはそれ以上の作業時間を要したが、本考案のジョイント式水封管および水封式ドレーン構造によれば、約５時間程度で完工することができた。本考案の、作業時間短縮効果が確認できた。
【産業上の利用可能性】
【００３３】
本考案のジョイント式水封管および水封式ドレーン構造によれば、水封管の洗浄作業など保守管理が便利になり、一層確実な洗浄効果を得ることができ、さらにドレーンの施工自体も作業短縮化できる。したがって、関連産業上利用性が高い考案である。
【符号の説明】
【００３４】
１、２１、３１…ジョイント式水封管
１Ｋ、２１Ｋ、３１Ｋ…第一管部材
１Ｊ、２１Ｊ、２１Ｋ…第二管部材
２Ｋ、２Ｊ…連結部
３Ｋ、３Ｊ…磁石または磁性体材料
２３Ｋ、２３Ｊ…ネジ構造
４Ｋ…水密用充填材
５、２５…排水枡内部底面
９、２９、３９…被覆部材
Ａ…排水枡内傾斜面
Ｄ…排水方向
Ｆ…水封構造
Ｈ…排水枡内水平面
Ｐ…排水枡
Ｗ…水面
【００３５】
２６１、３６１…粗集カゴ
２６２、３６２…カゴ穴
２６３、３６３…カゴ取っ手
２６４…粗集カゴ支持材
２７１、３７１…排水枡上縁部
２７２、２７３、３７２、３７３…水密用充填材
２７４、３７４…蓋
【図１】
0003153628.tif 000003
【図２−１】
0003153628.tif 000004
【図２−２】
0003153628.tif 000005
【図３】
0003153628.tif 000006
【図４】
0003153628.tif 000007
【図５】
0003153628.tif 000008
【図６−１】
0003153628.tif 000009
【図６−２】
0003153628.tif 000010
【図７】
0003153628.tif 000011
【図８−１】
0003153628.tif 000012
【図８−２】
0003153628.tif 000013
【図８−３】
0003153628.tif 000014
【図８−４】
0003153628.tif 000015